(57)【特許請求の範囲】
【請求項１】
燃料ガスを噴出させるガスノズルと、燃料オイルを噴出させるオイルノズルと、燃焼用空気を噴出させる空気ノズルとを備えた燃焼装置において、上記のガスノズルとオイルノズルとを、上記の空気ノズルから離れたそれぞれ別の位置に設け、上記の空気ノズルから噴出される燃焼用空気に向けて、上記のガスノズルから燃料ガスを噴出させる一方、上記のオイルノズルから燃料オイルを噴出させるようにし、上記の空気ノズルから噴出された燃焼用空気と上記のガスノズルから噴出された燃料ガスとが合流する位置と、上記のオイルノズルから噴出された燃料オイルが上記の空気ノズルから噴出された燃焼用空気と合流する位置とを異ならせ、上記の空気ノズルから噴出された燃焼用空気と上記のガスノズルから噴出された燃料ガスとが合流する位置より噴出方向下流側の位置で、上記のオイルノズルから噴出された燃料オイルが上記の空気ノズルから噴出された燃焼用空気と合流するようにしたことを特徴とする燃焼装置。
【請求項２】
請求項１に記載した燃焼装置において、上記のガスノズルから噴出させる燃料ガスの量を調整する燃料ガス調整装置と、上記のオイルノズルから噴出させる燃料オイルの量を調整する燃料オイル調整装置とを設けたことを特徴とする燃焼装置。
【請求項３】
請求項１又は請求項２に記載した燃焼装置において、上記の空気ノズルから噴出される燃焼用空気に向けて、上記のガスノズルから燃料ガスを噴出させる燃料ガス噴出角度と、上記のオイルノズルから燃料オイルを噴出させる燃料オイル噴出角度とを異ならせたことを特徴とする燃焼装置。
【請求項４】
請求項１〜請求項３の何れか１項に記載した燃焼装置において、上記の空気ノズルと上記のガスノズルとの間隔と、上記の空気ノズルと上記のオイルノズルとの間隔とを異ならせたことを特徴とする燃焼装置。
【請求項５】
請求項１〜請求項４の何れか１項に記載した燃焼装置において、非燃焼時に燃焼排ガスの熱を蓄熱部に蓄熱させる一方、燃焼時に燃焼用空気をこのように蓄熱された蓄熱部を通して加熱させて上記の空気ノズルから噴出させることを特徴とする燃焼装置。
【請求項６】
被処理物を加熱させる加熱炉において、請求項１〜請求項５の何れか１項に記載した燃焼装置を用いたことを特徴とする加熱炉。
【発明の詳細な説明】
【技術分野】
【０００１】
この発明は、燃焼に使用する燃料に燃料ガスや燃料オイルを使用した燃焼装置及びこのような燃焼装置を用いて被処理物を加熱させる加熱炉に関するものである。特に、燃焼装置に使用する燃料に燃料ガスと燃料オイルとの何れか一方或いは両方を使用できるようにすると共に、その修理やメンテナンス等が容易に行えるようにし、また燃料オイルと燃料ガスとを同時に燃焼させる際に、燃料オイルが不完全燃焼して、オイルノズルに煤が付着して詰まったりするのを抑制するようにした点に特徴を有するものである。
【背景技術】
【０００２】
従来の燃焼装置においては、一般に、燃焼に使用する燃料に、燃料ガスを使用したものと、燃料オイルを使用したものとが用いられていた。
【０００３】
そして、このような燃焼装置において、燃料ガスや燃料オイルを燃焼させる場合、燃料ガスや燃料オイルが燃焼用空気と効率よく接触して燃焼されるようにするため、一般に、燃焼用空気を噴出させる空気ノズルの内周側に、燃料ガスを噴出させるガスノズルや、燃料オイルを噴出させるオイルノズルを設け、ガスノズルから噴出される燃料ガスや、オイルノズルから噴出される燃料オイルの周囲に燃焼用空気を噴出させるようにしている。
【０００４】
ここで、このように燃焼用空気を噴出させる空気ノズルの内周側にガスノズルやオイルノズルを設けた燃焼装置において、使用する燃料を燃料ガスと燃料オイルとの間で転換する場合、配管を交換する工事等が必要になり、作業が非常に面倒で、時間を要すると共にコストも高く付く等の様々な問題があった。
【０００５】
また、従来においては、燃料ガスと燃料オイルとを使用する燃焼装置として、特許文献１に示されるように、燃焼用空気を噴出させる空気ノズルの内周側に、燃料オイルを噴出させるオイルノズルを設ける一方、燃料ガスを噴出させるガスノズルを空気ノズルの外周側に設けたものが提案されている。
【０００６】
しかし、このような燃焼装置においては、オイルノズルの外周に空気ノズルとガスノズルとを設けた多重管構造になっているため、その修理やメンテナンス等が非常に面倒になると共に、オイルノズルとガスノズルとから燃料オイルと燃料ガスとを同時に噴出させて燃焼させるようにした場合、燃料オイルよりも燃料ガスの方が燃焼しやすいため、ガスノズルから噴出された燃料ガスの方が先に燃焼されてその周囲における燃焼用空気が消費され、オイルノズルから噴出された燃料オイルが不完全燃焼になって煤が発生し、この煤がオイルノズルに付着して、オイルノズルが詰まる等の問題があった。
【０００７】
また、近年においては、燃焼排ガスの熱を利用して燃料ガスを効率よく燃焼させるために、非燃焼時において、加熱炉内における燃焼排ガスを蓄熱材が収容された蓄熱部を通して排出させ、燃焼排ガスの熱を蓄熱材に蓄熱させる一方、燃焼時において、燃焼用空気をこのように蓄熱された蓄熱材が収容された蓄熱部を通して加熱させ、このように加熱された燃焼用空気を空気ノズルから噴出させて、燃料ガスを燃焼させるようにした蓄熱式の燃焼装置が用いられている。
【０００８】
そして、このような蓄熱式の燃焼装置においては、燃料ガスを噴出させるガスノズルを、燃焼用空気を噴出させる空気ノズルの内周側に設けるようにしたものや、特許文献２，３に示されるように、燃料ガスを噴出させるガスノズルを、燃焼用空気を噴出させる空気ノズルと離れた位置に設け、上記のガスノズルから燃料ガスを、空気ノズルから噴出される燃焼用空気に向けて噴出させて燃焼させるようにしたものが存在した。
【０００９】
しかし、このような蓄熱式の燃焼装置においては、燃料ガスを噴出させるガスノズルが設けられているだけであるため、使用する燃料を燃料ガスから燃料オイルに転換する場合には、配管を交換する工事等が必要になり、作業が非常に面倒で、時間を要すると共にコストが高くつくという問題があった。また、このようにガスノズルから噴出された燃料ガスを空気ノズルから噴出された燃焼用空気と混合させて燃焼させるだけでは、目的に応じて火炎の形状を変更させて、加熱炉内における被処理物を適切に加熱させることが困難になる等の問題があった。
【先行技術文献】
【特許文献】
【００１０】
【特許文献１】実開昭６２−１５６２２４号公報
【特許文献２】特開２００７−２４３３５号公報
【特許文献３】特開２０１０−１２７５２５号公報
【発明の開示】
【発明が解決しようとする課題】
【００１１】
この発明は、燃料ガスや燃料オイルを燃焼させる燃焼装置において、その燃料に燃料ガスと燃料オイルとの何れか一方或いは両方を使用できるようにすると共に、燃焼装置の修理やメンテナンス等が容易に行えるようにし、また燃料オイルと燃料ガスとを同時に燃焼させる際に、燃料オイルが不完全燃焼して、オイルノズルに煤が付着して詰まる等の現象を抑制することを課題とするものである。
【課題を解決するための手段】
【００１２】
この発明における燃焼装置においては、上記のような課題を解決するため、燃料ガスを噴出させるガスノズルと、燃料オイルを噴出させるオイルノズルと、燃焼用空気を噴出させる空気ノズルとを備えた燃焼装置において、上記のガスノズルとオイルノズルとを、上記の空気ノズルから離れたそれぞれ別の位置に設け、上記の空気ノズルから噴出される燃焼用空気に向けて、上記のガスノズルから燃料ガスを噴出させる一方、上記のオイルノズルから燃料オイルを噴出させるようにし、上記の空気ノズルから噴出された燃焼用空気と上記のガスノズルから噴出された燃料ガスとが合流する位置と、上記のオイルノズルから噴出された燃料オイルが上記の空気ノズルから噴出された燃焼用空気と合流する位置とを異ならせ、上記の空気ノズルから噴出された燃焼用空気と上記のガスノズルから噴出された燃料ガスとが合流する位置より噴出方向下流側の位置で、上記のオイルノズルから噴出された燃料オイルが上記の空気ノズルから噴出された燃焼用空気と合流するようにした。
【００１３】
このように、燃料ガスを噴出させるガスノズルと、燃料オイルを噴出させるオイルノズルとを別に設けると、燃焼させる燃料を、燃料ガスと燃料オイルとで切り換えたり、燃料ガスと燃料オイルとの両方を使用したりすることが簡単に行えるようになる。
【００１４】
また、ガスノズルとオイルノズルとを空気ノズルから離れたそれぞれ別の位置に設けると、修理やメンテナンス等を行う際に、ガスノズルとオイルノズルとを個別に取り外すことができる。
【００１５】
そして、上記の燃焼装置において、上記のガスノズルから噴出させる燃料ガスの量を調整する燃料ガス調整装置と、上記のオイルノズルから噴出させる燃料オイルの量を調整する燃料オイル調整装置とを設けると、燃焼させる燃料を燃料ガスと燃料オイルとで切り換える以外に、燃焼させる燃料における燃料ガスと燃料オイルとの割合を適切に調整することができ、目的に応じた適切な燃焼が行えるようになると共に、燃料オイルの割合を多くすると、燃料オイルの燃焼時における輝炎による熱放射を増加させて、放熱を大きくすることができ、加熱時間の短縮や省エネルギー化を図ることができる。
【００１６】
また、上記のように空気ノズルから噴出された燃焼用空気と上記のガスノズルから噴出された燃料ガスとが合流する位置と、上記のオイルノズルから噴出された燃料オイルが上記の空気ノズルから噴出された燃焼用空気と合流する位置とを異ならせると、燃料ガスと燃料オイルとが燃焼用空気と別の位置で接触して燃焼されるようになり、燃料オイルが不完全燃焼になるのが抑制されると共に、不完全燃焼によって発生した煤がオイルノズルに付着するのも防止される。
【００１７】
さらに、上記のように空気ノズルから噴出された燃焼用空気と上記のガスノズルから噴出された燃料ガスとが合流する位置より噴出方向下流側の位置で、オイルノズルから噴出された燃料オイルを空気ノズルから噴出された燃焼用空気と合流させるようにすると、燃焼による火炎を長くして、燃焼装置から離れた位置においても十分に加熱させることができるようになる。
【００１８】
ここで、空気ノズルから噴出された燃焼用空気とガスノズルから噴出された燃料ガスとが合流する位置と、オイルノズルから噴出された燃料オイルを空気ノズルから噴出された燃焼用空気とが合流する位置を異ならせるにあたっては、空気ノズルから噴出される燃焼用空気に向けて、上記のガスノズルから燃料ガスを噴出させる燃料ガス噴出角度と、オイルノズルから燃料オイルを噴出させる燃料オイル噴出角度とを異ならせたり、空気ノズルとガスノズルとの間隔と、空気ノズルとオイルノズルとの間隔とを異ならせたりすることによってできる。
【００１９】
また、上記の燃焼装置においては、上記の空気ノズルから燃焼用空気を噴出させるにあたり、非燃焼時に燃焼排ガスの熱を蓄熱部に蓄熱させる一方、燃焼時に燃焼用空気をこのように蓄熱された蓄熱部を通して加熱させて上記の空気ノズルから噴出させるようにすることができる。このようにすると、燃焼排ガスの熱を利用して燃料ガスや燃料オイルを効率よく燃焼させることができる。
【００２０】
また、この発明の加熱炉においては、被処理物を加熱させるにあたり、上記の燃焼装置を用いるようにした。
【発明の効果】
【００２１】
この発明における燃焼装置においては、ガスノズルとオイルノズルとを空気ノズルから離れたそれぞれ別の位置に設け、空気ノズルから噴出される燃焼用空気に向けて、ガスノズルから燃料ガスを噴出させる一方、オイルノズルから燃料オイルを噴出させるようにしたため、燃焼させる燃料を、燃料ガスと燃料オイルとで切り換えたり、燃料ガスと燃料オイルとの両方を使用したりすることが簡単に行えるようになる。
【００２２】
また、燃料ガスと燃料オイルとの両方を燃焼させる場合にも、燃料ガスと燃料オイルとが燃焼用空気と別の位置で接触して燃焼されるようになり、燃料オイルが不完全燃焼になるのが抑制されると共に、不完全燃焼によって発生した煤がオイルノズルに付着するのも防止される。
【００２３】
さらに、ガスノズルとオイルノズルとを空気ノズルから離れたそれぞれ別の位置に設けたため、ガスノズルとオイルノズルとを個別に取り外すことができ、修理やメンテナンス等が容易に行えるようになる。
【図面の簡単な説明】
【００２４】
【図１】この発明の一実施形態に係る燃焼装置を用いた加熱炉の部分説明図である。
【図２】上記の実施形態に係る燃焼装置において、ガスノズルに設けられたガスノズルユニットから燃料ガスを噴出させて、燃料ガスだけを燃焼させる状態を示した概略説明図である。
【図３】上記の実施形態に係る燃焼装置において、オイルノズルに設けられたオイルノズルユニットから燃料オイルを噴出させて、燃料オイルだけを燃焼させる状態を示した概略説明図である。
【図４】上記の実施形態に係る燃焼装置において、ガスノズルに設けられたガスノズルユニットと、オイルノズルに設けられたオイルノズルユニットからそれぞれ燃料ガスと燃料オイルとを噴出させて、燃料ガスと燃料オイルとを燃焼させる状態を示した概略説明図である。
【図５】上記の実施形態に係る燃焼装置において、ガスノズルに設けられたガスノズルユニットと、オイルノズルに設けられたオイルノズルユニットから噴出させる燃料ガスと燃料オイルとの割合を変更させて燃焼させた場合におけるＮＯｘの発生量の変化を示した図である。
【図６】上記の実施形態に係る燃焼装置において、ガスノズルに設けられたガスノズルユニットと、オイルノズルに設けられたオイルノズルユニットから噴出させる燃料ガスと燃料オイルとの割合を変更させて燃焼させた場合における火炎長の変化を示した図である。
【図７】上記の実施形態に係る燃焼装置において、オイルノズルから噴出された燃料オイルを、ガスノズルから噴出された燃料ガスよりも噴出方向下流側の位置で空気ノズルから噴出された燃焼用空気と合流させる第１の例を示した概略説明図である。
【図８】上記の実施形態に係る燃焼装置において、オイルノズルから噴出された燃料オイルを、ガスノズルから噴出された燃料ガスよりも噴出方向下流側の位置で空気ノズルから噴出された燃焼用空気と合流させる第２の例を示した概略説明図である。
【発明を実施するための最良の形態】
【００２５】
以下、この発明の実施形態に係る燃焼装置及びこの燃焼装置を用いた加熱炉を添付図面に基づいて具体的に説明する。なお、この発明に係る燃焼装置及び加熱炉は、下記の実施形態に示したものに限定されず、発明の要旨を変更しない範囲において、適宜変更して実施できるものである。
【００２６】
この実施形態においては、図１に示すように、加熱炉１の側壁１ａに燃焼装置１０を加熱炉１の内部に向けて設けている。
【００２７】
ここで、この燃焼装置１０においては、燃焼用空気を加熱炉１内に噴出させる空気ノズル１１を設け、燃焼用空気を蓄熱材１２ａが収容された蓄熱部１２を通してこの空気ノズル１１に導くようにしている。
【００２８】
また、上記の空気ノズル１１から離れた位置に、加熱炉１内に燃料ガスを噴出させるガスノズル１３を設け、このガスノズル１３内に、燃料ガスを空気ノズル１１から噴出された燃焼用空気に向けて噴出させるガスノズルユニット１４を装着させると共に、このガスノズルユニット１４に燃料ガスを供給する燃料ガス供給経路１５に、ガスノズルユニット１４に供給する燃料ガスの量を調整する燃料ガス調整装置として燃料ガス調整弁１５ａを設けている。また、このガスノズルユニット１４の近傍に、ガスノズルユニット１４から噴出された燃料ガスを着火させるためのパイロットバーナ１４ａを設けている。
【００２９】
また、上記の空気ノズル１１から離れた位置であって、上記のガスノズル１３と異なる位置に、加熱炉１内に燃料オイルを噴出させるオイルノズル１６を設け、このオイルノズル１６内に、燃料オイルを空気ノズル１１から噴出された燃焼用空気に向けて噴出させるオイルノズルユニット１７を設けると共に、このオイルノズルユニット１７に燃料オイルを供給する燃料オイル供給経路１８に、オイルノズルユニット１７に供給する燃料オイルの量を調整する燃料オイル調整装置として燃料オイル調整弁１８ａを設けている。また、このオイルノズルユニット１７の近傍に、このオイルノズルユニット１７から噴出された燃料オイルを着火させるためのパイロットバーナ１７ａを設けている。
【００３０】
ここで、この燃焼装置１０において、燃料ガスだけを使用して燃焼を行う場合には、図２に示すように、上記の燃料ガス調整弁１５ａを開け、燃料ガス供給経路１５を通して燃料ガスをガスノズルユニット１４に導く一方、上記の燃料オイル調整弁１８ａを閉じて、燃料オイルをオイルノズルユニット１７に導かないようにする。
【００３１】
そして、燃焼用空気を非燃焼時に燃焼排ガスの熱を蓄熱材１２ａに蓄熱させた蓄熱部１２を通して上記の空気ノズル１１に導き、この蓄熱部１２において加熱された燃焼用空気を空気ノズル１１から加熱炉１内に噴出させると共に、上記のように燃料ガスが導かれたガスノズルユニット１４から、燃料ガスを加熱炉１内に噴出された燃焼用空気に向けて噴出させ、この燃料ガスを加熱炉１内において燃焼させるようにする。なお、加熱炉１内における温度が燃料ガスの着火温度に達していない場合には、上記のパイロットバーナ１４ａによりガスノズルユニット１４から噴出させた燃料ガスを着火させるようにする。
【００３２】
一方、この燃焼装置１０において、燃料オイルだけを使用して燃焼を行う場合には、図３に示すように、上記の燃料オイル調整弁１８ａを開け、燃料オイル供給経路１８を通して燃料オイルをオイルノズルユニット１７に導く一方、燃料ガス調整弁１５ａを閉じて、燃料ガスをガスノズルユニット１４に導かないようにする。
【００３３】
そして、上記の燃料ガスの場合と同様に、燃焼用空気を上記の蓄熱部１２を通して空気ノズル１１に導き、蓄熱部１２において加熱された燃焼用空気をこの空気ノズル１１から加熱炉１内に噴出させると共に、上記のように燃料オイルが導かれたオイルノズルユニット１７から、燃料オイルを加熱炉１内に噴出された燃焼用空気に向けて噴出させ、この燃料オイルを加熱炉１内において燃焼させるようにする。なお、加熱炉１内における温度が燃料オイルの着火温度に達していない場合には、上記のパイロットバーナ１７ａによりオイルノズルユニット１７から噴出させた燃料オイルを着火させるようにする。
【００３４】
このようにすると、この燃焼装置１０における燃焼において使用する燃料を、燃料ガスと燃料オイルとの間で簡単に切り換えることができるようになる。
【００３５】
また、この燃焼装置１０において、燃料ガスと燃料オイルとの両方を使用して燃焼を行う場合には、図４に示すように、上記の燃料ガス調整弁１５ａと燃料オイル調整弁１８ａとを開け、燃料ガス供給経路１５を通して燃料ガスをガスノズルユニット１４に導くと共に、燃料オイル供給経路１８を通して燃料オイルをオイルノズルユニット１７に導くようにする。
【００３６】
そして、上記の燃料ガスや燃料オイルの場合と同様に、燃焼用空気を上記の蓄熱部１２を通して空気ノズル１１に導き、蓄熱部１２において加熱された燃焼用空気をこの空気ノズル１１から加熱炉１内に噴出させると共に、上記のように燃料ガスが導かれたガスノズルユニット１４と、燃料オイルが導かれたオイルノズルユニット１７とから、それぞれ燃料ガスと燃料オイルとを加熱炉１内に噴出された燃焼用空気に向けて噴出させ、この燃料ガスと燃料オイルとを加熱炉１内において燃焼させるようにする。
【００３７】
ここで、上記の燃焼装置１０において、オイルノズルユニット１７から噴出された燃料オイルを加熱炉１内において単独で燃焼させないようにし、常にガスノズルユニット１４から噴出された燃料ガスと一緒に燃焼させる場合には、このオイルノズルユニット１７における前記のパイロットバーナ１７ａ等をなくすこともできる。また、燃料オイルの着火温度以上でのみ、燃料オイルを噴出させる場合においても、このオイルノズルユニット１７における前記のパイロットバーナ１７ａ等をなくすことができる。
【００３８】
また、上記のように燃料ガスと燃料オイルとの両方を使用して燃焼を行うにあたっては、燃料ガス調整弁１５ａと燃料オイル調整弁１８ａとにより、ガスノズルユニット１４に導く燃料ガスの量と、オイルノズルユニット１７に導く燃料オイルの量とを適当に調整することができる。
【００３９】
次に、上記の燃焼装置１０における燃料の燃焼量を一定にし、ガスノズルユニット１４に導く燃料ガスの比率と、オイルノズルユニット１７に導く燃料オイルの比率とを変更させた場合における、ＮＯｘ発生量と火炎長の変化を調べ、その結果を図５及び図６に示した。
【００４０】
ここで、図５においては、燃料オイルだけを燃焼させた場合におけるＮＯｘ発生量を１．００として、燃料オイルと燃料ガスとの比率を変化させた場合におけるＮＯｘの発生量の変化を示した。
【００４１】
また、図６においては、燃料オイルだけを燃焼させた場合における火炎長を１．００として、燃料オイルと燃料ガスとの比率を変化させた場合における火炎長の変化を示した。
【００４２】
この結果、オイルノズルユニット１７に導く燃料オイルの比率が高くなると、ＮＯｘ発生量が増加する一方、火炎長が長くなって燃焼装置１０から離れた位置においても十分に加熱が行えることが分かる。また、燃料オイルの比率が高くなると、燃料オイルの燃焼による火炎による放射伝熱が高くなって、加熱炉１内において被処理物（図示せず）を効率よく加熱させることができるようになる。
【００４３】
このように、燃料ガスと燃料オイルとの両方を使用して燃焼を行う時の燃料オイルの比率は、必要される火炎長や温度によって決定できるが、それ以外にも、燃料ガスや燃料オイルの時価やＮＯｘ発生量によっても決定でき、それを調整することにより、低コスト、低公害な燃焼にも寄与できる。
【００４４】
また、上記のようにガスノズルユニット１４とオイルノズルユニット１７とから燃料ガスと燃料オイルとを、それぞれ空気ノズル１１から噴出された燃焼用空気に向けて噴出させて、加熱炉１内において燃料ガスと燃料オイルとを燃焼させるにあたり、オイルノズルユニット１７から噴出された燃料オイルを、ガスノズルユニット１４から噴出された燃料ガスよりも噴出方向下流側の位置で、空気ノズル１１から噴出された燃焼用空気と合流させるようにすると、燃えやすい燃料ガスが先に燃焼し、燃えにくい燃料オイルが後から燃焼されるため、燃焼時における火炎長がさらに長くなって、加熱炉１内の広い範囲で燃焼が行われ、加熱炉１内が均一に加熱されるようになる。
【００４５】
そして、このようにオイルノズルユニット１７から噴出された燃料オイルを、ガスノズルユニット１４から噴出された燃料ガスよりも噴出方向下流側の位置において、空気ノズル１１から噴出された燃焼用空気と合流させるにあたっては、例えば、図７や図８に示すような方法を用いることができる。
【００４６】
ここで、図７に示す方法においては、空気ノズル１１とガスノズル１３との間隔ｄ１と、空気ノズル１１とオイルノズル１６との間隔ｄ２とを同じにする一方、空気ノズル１１から噴出される燃焼用空気に向けて、ガスノズル１３から燃料ガスを噴出させる燃料ガス噴出角度θ１、すなわち空気ノズル１１の軸線Ｌ１とガスノズル１３の軸線Ｌ２とが交差する角度よりも、空気ノズル１１から噴出される燃焼用空気に向けて、オイルノズル１６から燃料オイルを噴出させる燃料オイル噴出角度θ２、すなわち空気ノズル１１の軸線Ｌ１とオイルノズル１６の軸線Ｌ３とが交差する角度を小さくしている。
【００４７】
また、図８に示す方法においては、空気ノズル１１とガスノズル１３との間隔ｄ１よりも、空気ノズル１１とオイルノズル１６との間隔ｄ２を大きくする一方、空気ノズル１１から噴出される燃焼用空気に向けて、ガスノズル１３から燃料ガスを噴出させる燃料ガス噴出角度θ１と、オイルノズル１６から燃料オイルを噴出させる燃料オイル噴出角度θ２とを同じにしている。
【００４８】
また、図示していないが、図７に示す方法と図８に示す方法とを組み合わせて、オイルノズルユニット１７から噴出された燃料オイルを、ガスノズルユニット１４から噴出された燃料ガスよりも噴出方向下流側の位置において、空気ノズル１１から噴出された燃焼用空気と合流させるようにすることもできる。
【００４９】
また、上記の場合とは逆に、オイルノズルユニット１７から噴出された燃料オイルを、ガスノズルユニット１４から噴出された燃料ガスよりも噴出方向上流側の位置において、空気ノズル１１から噴出された燃焼用空気と合流させるようにしてもよい。このようにすると、燃えにくい燃料オイルに先に燃焼用空気が混合されるので、燃料オイルが不完全燃焼するのが抑制されて、煤が発生するのを防止することが可能になる。
【００５０】
なお、上記の実施形態においては、燃焼排ガスの熱を蓄熱させる蓄熱部１２を備えた蓄熱式の燃焼装置１０について説明したが、このような蓄熱部１２を備えていない通常の燃焼装置においても同様に構成することができる。
【符号の説明】
【００５１】
１  加熱炉
１ａ  側壁
１０  燃焼装置
１１  空気ノズル
１２  蓄熱部、  １２ａ  蓄熱材
１３  ガスノズル
１４  ガスノズルユニット、  １４ａ  パイロットバーナ
１５  燃料ガス供給経路、  １５ａ  燃料ガス調整弁（燃料ガス調整装置）
１６  オイルノズル
１７  オイルノズルユニット、  １７ａ  パイロットバーナ
１８  燃料オイル供給経路、  １８ａ  燃料オイル調整弁（燃料オイル調整装置）
ｄ１  空気ノズルとガスノズルとの間隔
ｄ２  空気ノズルとオイルノズルとの間隔
Ｌ１  空気ノズルの軸線
Ｌ２  ガスノズルの軸線
Ｌ３  オイルノズルの軸線
θ１  燃焼用空気に対して燃料ガスを噴出させる燃料ガス噴出角度
θ２  燃焼用空気に対して燃料オイルを噴出させる燃料オイル噴出角度
【要約】
【課題】  燃料に燃料ガスと燃料オイルとの何れか一方或いは両方を使用して燃焼させることができ、修理やメンテナンス等が容易に行えると共に、両方の燃料を同時に燃焼させる際に、燃料オイルが不完全燃焼して、オイルノズルに煤が付着して詰まるのを抑制する。
【解決手段】  燃料ガスを噴出させるガスノズル１３と、燃料オイルを噴出させるオイルノズル１６とを、燃焼用空気を噴出させる空気ノズル１１から離れたそれぞれ別の位置に設け、空気ノズル１１から噴出される燃焼用空気に向けて、ガスノズル１３から燃料ガスを噴出させる一方、オイルノズル１６から燃料オイルを噴出させるようにした。
【選択図】  図４【図１】
0005134736.tif 000002
【図２】
0005134736.tif 000003
【図３】
0005134736.tif 000004
【図４】
0005134736.tif 000005
【図５】
0005134736.tif 000006
【図６】
0005134736.tif 000007
【図７】
0005134736.tif 000008
【図８】
0005134736.tif 000009